(57)【要約】【課題】電圧あるいは相数が異なる空気調和機のグループが用いられる場合においても、伝送線の誤配線をなくし、点検作業時を容易にした空気調和機システムを得る。【解決手段】室外機１へ電力を供給する室外電力線３に運転データを重畳して送信及び室外電力線３に重畳された運転データを受信する室外送受信装置５Ａと、室内機２へ電力を供給する室内電力線４に運転データを重畳して送信及び室内電力線４に重畳された運転データを受信する室内送受信装置５Ｂと、室外電力線３に重畳された運転データを無線信号に変換して送信及び無線信号を受信して室外電力線３に重畳する室外変換装置６Ａと、室内電力線４に重畳された運転データを無線信号に変換して送信及び無線信号を受信して室内電力線４に重畳する室内変換装置６Ｂと、を設ける。【選択図】　図１
2004028384.tif 000002
【特許請求の範囲】
【請求項１】
複数台の室内機、圧縮機を備えた室外機とを有し、前記室内機と前記室外機との間で運転データが送受信されることで運転制御される空気調和機システムにおいて、
前記室外機に設けられ、該室外機へ電力を供給する室外電力線に前記運転データを重畳して送信及び前記室外電力線に重畳された前記運転データを受信する室外送受信装置と、
前記室内機に設けられ、該室内機へ電力を供給する室内電力線に前記運転データを重畳して送信及び前記室内電力線に重畳された前記運転データを受信する室内送受信装置と、
前記室外電力線に重畳された前記運転データを無線信号に変換して送信及び無線信号を受信して前記室外電力線に重畳する室外変換装置と、
前記室内電力線に重畳された前記運転データを無線信号に変換して送信及び無線信号を受信して前記室内電力線に重畳する室内変換装置と、
を設けたことを特徴とする空気調和機システム。
【請求項２】
請求項１に記載のものにおいて、前記無線信号は前記運転データと共に受信の要否を判断するための識別信号を有していることを特徴とする空気調和機システム。
【請求項３】
請求項１に記載のものにおいて、温度設定を行うリモコンに前記無線信号を受信する送受信装置を設けたことを特徴とする空気調和機システム。
【請求項４】
請求項１に記載のものにおいて、前記無線信号を携帯電話で受信し、運転データを前記携帯電話に表示することを特徴とする空気調和機システム。
【請求項５】
請求項１に記載のものにおいて、携帯電話から無線信号を送信し、該無線信号を前記室外変換装置又は前記室内変換装置が受信して運転制御が行われることを特徴とする空気調和機システム。
【請求項６】
請求項１に記載のものにおいて、前記無線信号は前記運転データと共に送信元アドレス及び送信先アドレスを有していることを特徴とする空気調和機システム。
【請求項７】
請求項１に記載のものにおいて、前記無線信号は前記運転データと共に受信の要否を判断するための識別信号を有し、前記室外変換装置及び前記室内変換装置は前記識別信号により受信すべきデータであると判断された場合に、前記無線信号のサンプリングを行い、電力重畳信号に変換することを特徴とする空気調和機システム。
【請求項８】
請求項１に記載のものにおいて、前記運転データを無線信号として携帯電話で受信し、前記運転データを記憶することを特徴とする空気調和機システム。
【発明の詳細な説明】
【０００１】
【発明の属する技術分野】
本発明は複数の室内機及び室外機が接続される空気調和機に係り、特にビル等における大規模な空気調和機及びそのメンテナンスに好適である。
【０００２】
【従来の技術】
従来、比較的に大規模な空気調和機において、保守管理、システム展開に対応するため、複数の空気調和機のグループをゲートウエイを介してネットワークに接続することが知られ、例えば特開平９−７９６５４号公報に記載されている。
また、各種信号線の配線工事にかかる費用を低減するために、室外機と室内機に電力を供給する電力線の交流電圧に電力線重畳信号、例えば１０から４５０ｋＨｚの高周波数の信号を重畳して信号線と電力線を共用化することが特開平５−２７２７９５号公報に記載されている。
【０００３】
【発明が解決しようとする課題】
上記従来技術においては、空気調和機間で伝送線の誤配線、点検作業時に空気調和機の運転データを採取すること、配線長や周囲環境によるデータ劣化による配線距離の制限、室外機と室内機とが異電圧あるいは相数が異なる場合があること、などについては充分考慮されていなかった。
【０００４】
本発明の目的は、上記に鑑み電圧あるいは相数が異なる空気調和機のグループが用いられる場合においても、伝送線の誤配線をなくし、点検作業時を容易にして施工業者、サービスマンの負担を減らし、空気調和機システムとしてのレイアウトフリー化を図ることにある。
【０００５】
【課題を解決するための手段】
上記目的を達成するため、本発明は、複数台の室内機、圧縮機を備えた室外機とを有し、前記室内機と前記室外機との間で運転データが送受信されることで運転制御される空気調和機システムにおいて、前記室外機に設けられ、該室外機へ電力を供給する室外電力線に前記運転データを重畳して送信及び前記室外電力線に重畳された前記運転データを受信する室外送受信装置と、前記室内機に設けられ、該室内機へ電力を供給する室内電力線に前記運転データを重畳して送信及び前記室内電力線に重畳された前記運転データを受信する室内送受信装置と、前記室外電力線に重畳された前記運転データを無線信号に変換して送信及び無線信号を受信して前記室外電力線に重畳する室外変換装置と、前記室内電力線に重畳された前記運転データを無線信号に変換して送信及び無線信号を受信して前記室内電力線に重畳する室内変換装置と、を設けたものである。
【０００６】
また、上記のものにおいて、無線信号は運転データと共に受信の要否を判断するための識別信号を有していることが望ましい。
さらに、上記のものにおいて、温度設定を行うリモコンに記無線信号を受信する送受信装置を設けたことが望ましい。
【０００７】
さらに、無線信号を携帯電話で受信し、運転データを携帯電話に表示することが望ましい。
さらに、上記のものにおいて、携帯電話から無線信号を送信し、該無線信号を前記室外変換装置又は前記室内変換装置が受信して運転制御が行われることが望ましい。
【０００８】
さらに、上記のものにおいて、無線信号は運転データと共に送信元アドレス及び送信先アドレスを有していることが望ましい。
さらに、上記のものにおいて、無線信号は運転データと共に受信の要否を判断するための識別信号を有し、室外変換装置及び室内変換装置は識別信号により受信すべきデータであると判断された場合に、無線信号のサンプリングを行い、電力重畳信号に変換することが望ましい。
さらに、上記のものにおいて、データを無線信号として携帯電話で受信し、運転データを記憶することが望ましい。
【０００９】
【発明の実施の形態】
以下、本発明の一実施の形態を図面に基づいて詳細に説明する。図１は空気調和機の構成図であり、圧縮機を搭載した室外機１と接続される電力線３と、室内機２と接続される電力線４と、電力線重畳信号から無線信号へ信号変換を行う変換装置６Ａ、６Ｂと、空気調和機の運転を制御する集中制御装置９を有し、室外機１と室内機２が配管で接続され冷凍サイクルを構成する。
室外機１は２００Ｖ３相で室外電力線３より電力が供給され、電力線重畳信号の室外送受信装置５Ａを搭載する。この電力線重畳信号の室外送受信装置５Ａを介して室外電力線３へ基本フォーマットとして定められたデータ（伝送情報）を送信する。データは、外気温度、圧縮機の吐出ガス温度、凝縮温度、圧縮機の高圧圧力、低圧圧力、駆動周波数、電流値、膨脹弁の開度、能力コードなどである。基本フォーマットにはデータの識別コード、データ長を示すレングス、送信元系統、送信元アドレス、送信先系統、送信先アドレスを基本的に持っている。電力重畳されたデータは電力線重畳信号と無線信号の室外変換装置６Ａにより無線信号に変換される。この信号変換では室外送受信装置５Ａの基本フォーマットに専用ビットを設け、識別信号としてこのビットにフラッグを立てた状態で無線信号の送信を行う。この識別信号により無線データの干渉を回避することが容易となる。無線信号の周波数帯としては、電灯線や無線を伝送メディアとして使用するため２．４又は５．２ＧＨｚ帯を利用する。
【００１０】
室内機２は、１００Ｖ単相で室内電力線４より電力が供給され、室内送受信装置５Ｂを搭載し、室内電力線４には室内変換装置６Ｂが設けられている。さらに、データの受信側となる室内変換装置６Ｂは、受信データの専用ビットを監視し、フラグの状態により受信するべきデータなのか判断する。つまり、予め無線データを通信すべき無線データ送受信装置同士で、無線データの変換装置６Ａ、６Ｂに備えてあるスイッチにて同じビットにフラグを立てるように設定を行う。無線化されたデータは、設定されたビットにフラグを立てた状態で送信する。受信側は設定されたビットを監視し、フラグの状態により通信すべき相手かどうかを判断する。そして、受信側の室内変換装置６Ｂは、受信データより通信相手と判断した場合、伝送の最適化のため室内変換装置６Ｂにより無線信号のサンプリングを行い、データを波形整形してから電力重畳信号に変換し、電力線４を介して室内送受信装置５Ｂに伝送する。データを無線化から有線化する際にデータをサンプリングすることにより波形整形すると言う最適化を行うことでデータの劣化を抑え配線距離の延長が可能となる。
【００１１】
また、空気調和機の点検でデータを採取する場合、専用配線を空気調和機に接続する必要があったが、無線信号を受信する機能を持つ、例えば携帯電話を使用して、無線信号とされた運転データを受信すれば、無線信号の届く範囲であれば場所を限定せずデータの採取が可能であり、これを利用して空気調和機間で伝送線の誤配線を防止することもできる。
以上の説明は、室外機１から室内機２へのデータ送信であるが、室内機２から室外機１へのデータ送信は、上記と逆の経路により行う。
【００１２】
複数の室外機１及び室内機２を集中して制御する集中制御装置９へのデータ伝送は、室外変換装置６Ａ、あるいは室内変換装置６Ｂから無線信号で集中変換装置７Ｓへ伝送される。集中変換装置７Ｓは、無線データを信号の伝送が可能な伝送線１１へ信号変換を行う。また、集中制御装置９の電力は１００Ｖ単相の集中電力線１２より供給される。
【００１３】
図２は、冷暖房の運転モード、室温の設定、風向設定などを行うリモコン８との関係を示すもので、２は室内機であり室内電力線４より電源が供給され、電力線重畳信号の送受信装置５Ｂを搭載し、電力線重畳信号の室内送受信装置５Ｂを介して室内電力線４へデータを送信する。室内変換装置６Ｂは電力重畳されたデータを無線信号へ変換する。無線信号への変換では、基本ファーマットに設けられた識別用の専用ビットが電力重畳データであることが分かるようにフラッグを立てた状態で無線信号の送信を行う。無線信号の周波数帯として１から１０ＧＨｚ、望ましくは２．４ＧＨｚ帯を利用し、受信側のリモコン８の伝送線１１に設けられたリモコン変換装置７Ｒは、受信データの専用ビットを監視し、フラッグの有無又は状態により通信すべきデータなのかを送信元の系統、送信元アドレス、などを判断する。
リモコン変換装置７Ｒは、受信データより通信相手と判断した場合、データのサンプリングを行い、データを波形整形するなどにより最適化してから無線信号を受信する。また、リモコン８から室内機２へのデータ送信は、上記と逆の経路により行う。
【００１４】
図３は、複数台の室外機１、複数台の室内機２が接続される状態を示し、さらに携帯電話１０との関係を説明する。
空気調和機は電力重畳信号の室外送受信装置５Ａを搭載し、電力重畳信号の室外送受信装置５Ａを介して室外電力線３へデータを送信する。電力重畳されたデータは電力線重畳信号と無線信号の室外変換装置６Ａにより無線信号に変換される。この時、室外送受信装置５Ａで設定された内容より専用のビットにフラグを立てた状態で無線信号の送信を行う。無線信号の周波数帯として２．４ＧＨｚ帯を利用する。無線信号の受信側となる携帯電話１０は受信データの専用ビットを監視し、フラグの状態により通信するべきデータなのか判断する。
【００１５】
受信側となる携帯電話１０は、受信データより通信相手と判断した場合、受信データから接続されている室内機２及び対応する室外機１のアドレス番号、運転／停止、冷暖房の運転モード、設定温度、機種コード、異常コード、などのデータを抽出する。図４は、携帯電話１０の画面となる液晶表示の例を示し、運転データ表示として、室内機のアドレスが「室内：１」と、対応する室外機のアドレスが「室外：１」として文字表示される。また、データを抽出した日付を西暦で例えば、「２００２／０６／０１」と数値表示し、異常コードは、「アラームコード：０３」と、現在の運転状況を「運転／停止：運転」、冷暖房を「運転モード：冷房」、設定温度を「設定温度：２２℃」、「外気温度：２５℃」などのように画面表示する。また、抽出されたデータは携帯電話１０内の記憶装置に記録し、保守点検に利用する。
【００１６】
上記によれば、空気調和機の室内機２、室外機１がそれぞれ異電圧かつ異相数であっても、例えば室内機が単相の１００Ｖ５０Ｈｚ、室外機が３相２００Ｖとしても室内機２と室外機１でやりとりされるデータを一旦、電源重畳信号とし、その後、無線で通信をするので、配線敷設を容易にし、空気調和機としての配置に自由度を広げることができる。
また、携帯電話１０を使用して、運転データとして外気温度、圧縮機の吐出ガス温度、凝縮温度、圧縮機の高圧圧力、低圧圧力、駆動周波数、電流値、膨脹弁の開度、能力コード、異常コードなどを抽出することが容易となる。
【００１７】
さらに、無線信号の送受信機能を持つ携帯電話１０により、空気調和機の運転状況および空気調和機間の伝送状況の監視を行うことができる。具体的には、受信側の携帯電話１０では専用ビットのフラグの状態により、通信すべき相手かどうかを判断し、監視する情報は、利用者の選択により、設定温度、吸込空気温度、吹出空気温度、室内熱交換温度、リモートセンサ温度、外気温度等の空気調和機の運転情報（運転データ）を収集すれば良い。
【００１８】
【発明の効果】
以上述べたように、本発明によれば、複数の空気調和機のグループが設置される比較的に大規模な空気調和機においても、配線距離、室外機と室内機とが異電圧あるいは相数が異なることに係わらず施工、保守管理、システム展開を容易にすることができる。
【図面の簡単な説明】
【図１】本発明の一実施の形態による空気調和機システムを示すブッロク図。
【図２】本発明の一実施の形態によるリモコンを示すブロック図。
【図３】本発明の他の実施の形態による空気調和機システムを示すブロック図。
【図４】本発明の一実施の形態による携帯電話の画面を示す平面図。
【符号の説明】
１…室外機、２…室内機、３…室外電力線、４…室内電力線、５Ａ…室外送受信装置、５Ｂ…室内送受信装置、６Ａ…室外変換装置、６Ｂ…室内変換装置、７Ｒ…リモコン変換装置、７Ｓ…集中変換装置、８…リモコン、９…集中制御装置、１０…携帯電話。
【図１】
2004028384.tif 000003
【図２】
2004028384.tif 000004
【図３】
2004028384.tif 000005
【図４】
2004028384.tif 000006